(57)【要約】【課題】側面が曲面状に形成された導光体を精度よく位置決めすることを目的とする。【解決手段】照明装置は、光を発する光源３０と、光源３０から内部に入射された光を反射および拡散させる拡散面２３と、拡散面２３と対向する位置で拡散面２３により拡散された光を原稿Ｐに出射する出射面２２と、拡散面２３および出射面２２との間に形成される曲面状の第１側面２４と、拡散面２３および出射面２２との間で第１側面２４に対向して形成される第２側面２５とを有する導光体２０と、導光体２０を支持するフレーム１１と、を備え、フレーム１１は、拡散面２３と第１側面２４とにより形成される第１角部２６を支持する第１支持部５１を有し、第１支持部５１は、第１角部２６の角度よりも大きい角度のＶ字状に形成される。【選択図】図１
2015195152.tif 000002
【特許請求の範囲】
【請求項１】
被照明体にライン状の光を照射する照明装置であって、
光を発する光源と、
前記光源から内部に入射された光を反射および拡散させる拡散面と、前記拡散面と対向する位置で前記拡散面により拡散された光を前記被照明体に出射する出射面と、前記拡散面および前記出射面との間に形成される曲面状の第１側面と、前記拡散面および前記出射面との間で前記第１側面に対向して形成される第２側面とを有する導光体と、
前記導光体を支持するフレームと、を備え、
前記フレームは、前記拡散面と前記第１側面とにより形成される第１角部を支持する第１支持部を有し、
前記第１支持部は、前記第１角部の角度よりも大きい角度のＶ字状に形成されることを特徴とする照明装置。
【請求項２】
前記フレームは、前記導光体を３点以上で支持することを特徴とする請求項１に記載の照明装置。
【請求項３】
前記フレームは、前記第１側面の曲面を１点で支持する側面支持部を有することを特徴とする請求項１または２に記載の照明装置。
【請求項４】
前記フレームは、前記出射面と前記第２側面とにより形成される第２角部を支持する第２支持部を有することを特徴とする請求項１ないし３の何れか１項に記載の照明装置。
【請求項５】
前記第２支持部は、前記導光体の前記第２角部を前記第１側面に向かって付勢することを特徴とする請求項４に記載の照明装置。
【請求項６】
前記フレームは、前記第１側面の曲面を１点で支持する側面支持部を有し、
前記第２支持部と前記側面支持部は互いに平行な平面により形成されることを特徴とする請求項４または５に記載の照明装置。
【請求項７】
前記フレームは、前記拡散面と離間した状態で前記導光体を支持することを特徴とする請求項１ないし６の何れか１項に記載の照明装置。
【請求項８】
前記第１支持部は、不連続な曲面で形成されることを特徴とする請求項１ないし７の何れか１項に記載の照明装置。
【請求項９】
被照明体に照射した光を読み取るイメージセンサユニットであって、
請求項１ないし８の何れか１項に記載の照明装置と、
前記照明装置により前記被照明体を照射して反射した光を結像する集光体と、
前記集光体によって結像された光を電気信号に変換するイメージセンサと、を備えることを特徴とするイメージセンサユニット。
【請求項１０】
請求項９に記載のイメージセンサユニットと、
前記イメージセンサユニットと前記被照明体とを相対的に移動させる移動部と、
を有することを特徴とする画像読取装置。
【請求項１１】
請求項９に記載のイメージセンサユニットと、
前記イメージセンサユニットと前記被照明体とを相対的に移動させる移動部と、
前記イメージセンサユニットにより読み取られた画像を記録媒体に形成する画像形成部と、を有することを特徴とする画像形成装置。
【発明の詳細な説明】
【技術分野】
【０００１】
本発明は、照明装置、イメージセンサユニット、画像読取装置および画像形成装置に関する。
【背景技術】
【０００２】
光源、導光体などを有する照明装置などが知られている。特許文献１には、導光体から原稿に向かって光線を出射するライン照明装置が開示されている。特許文献１の導光体は底部を面取部とし、左右の側面を楕円曲面または放物線曲面あるいはこれらの合成曲面とし、出射面を平坦面として形成されている。
【先行技術文献】
【特許文献】
【０００３】
【特許文献１】特開２００６−１４０８１号公報
【発明の概要】
【発明が解決しようとする課題】
【０００４】
特許文献１の導光体は、導光体の断面形状と同一に形成されたケースに嵌合させて取り付けられる。しかしながら、製造誤差などの要因によってケースを導光体の断面形状と同一に成形することは困難である。また、導光体の曲面状の側面をケースで支持する場合、ケースと曲面状の側面との間で滑りが生じ、導光体を精度よく位置決めすることが困難であるという問題がある。
【０００５】
本発明は、上述したような問題点に鑑みてなされたものであり、側面が曲面状に形成された導光体を精度よく位置決めすることを目的とする。
【課題を解決するための手段】
【０００６】
本発明の照明装置は、被照明体にライン状の光を照射する照明装置であって、光を発する光源と、前記光源から内部に入射された光を反射および拡散させる拡散面と、前記拡散面と対向する位置で前記拡散面により拡散された光を前記被照明体に出射する出射面と、前記拡散面および前記出射面との間に形成される曲面状の第１側面と、前記拡散面および前記出射面との間で前記第１側面に対向して形成される第２側面とを有する導光体と、前記導光体を支持するフレームと、を備え、前記フレームは、前記拡散面と前記第１側面とにより形成される第１角部を支持する第１支持部を有し、前記第１支持部は、前記第１角部の角度よりも大きい角度のＶ字状に形成されることを特徴とする。
本発明のイメージセンサユニットは、上述した照明装置と、前記照明装置により前記被照明体を照射して反射した光を結像する集光体と、前記集光体によって結像された光を電気信号に変換するイメージセンサと、を備えることを特徴とする。
本発明の画像読取装置は、上述したイメージセンサユニットと、前記イメージセンサユニットと被照明体とを相対的に移動させる移動部と、を有することを特徴とする。
本発明の画像形成装置は、上述したイメージセンサユニットと、前記イメージセンサユニットと被照明体とを相対的に移動させる移動部と、前記イメージセンサユニットにより読み取られた画像を記録媒体に形成する画像形成部と、を有することを特徴とする。
【発明の効果】
【０００７】
本発明によれば、側面が曲面状に形成された導光体を精度よく位置決めすることができる。
【図面の簡単な説明】
【０００８】
【図１】図１は、導光体２０を保持する保持部１３の構成を示す断面図である。
【図２】図２は、イメージセンサユニット１０を備えたＭＦＰ１００の外観を示す斜視図である。
【図３】図３は、ＭＦＰ１００の画像形成部１１３の構造を示す概略図である。
【図４】図４は、イメージセンサユニット１０の分解斜視図である。
【図５】図５は、イメージセンサユニット１０の平面図である。
【図６】図６は、図５のＩ−Ｉ線断面図である。
【図７】図７は、図５のＩＩ−ＩＩ線断面図である。
【発明を実施するための形態】
【０００９】
以下、本発明を適用できる実施形態について、図面を参照して詳細に説明する。本実施形態は、照明装置と、この照明装置が適用されるイメージセンサユニット１０と、このイメージセンサユニット１０が適用される画像読取装置および画像形成装置である。画像読取装置および画像形成装置では、イメージセンサユニット１０が被照明体としての原稿Ｐに光を照射し、反射光を電気信号に変換することで画像を読み取る（反射読取）。なお、被照明体は原稿Ｐに限られず、紙幣などの読取対象物に対しても適用できる。また、原稿Ｐを透過した透過光を電気信号に変換することで画像を読み取る透過読取であっても適用できる。
以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
【００１０】
まず、本実施形態に係る画像読取装置または画像形成装置の一例である多機能プリンタ（ＭＦＰ；Ｍｕｌｔｉ  Ｆｕｎｃｔｉｏｎ  Ｐｒｉｎｔｅｒ）の構造について図２を参照して説明する。図２は、ＭＦＰ１００の外観を示す斜視図である。図２に示すように、ＭＦＰ１００は、原稿Ｐからの反射光を読み取る画像読取手段としての画像読取部１０２と、記録媒体としてのシート１０１（記録紙）に原稿Ｐの画像を形成（印刷）する画像形成手段としての画像形成部１１３とを備えている。
【００１１】
画像読取部１０２はいわゆるイメージスキャナーの機能を有するものであり、例えば以下のように構成される。画像読取部１０２は、筐体１０３と、原稿載置部としてのガラス製の透明板からなるプラテンガラス１０４と、原稿Ｐを覆うことができるように筐体１０３に対して開閉自在に設けられるプラテンカバー１０５とを備えている。
筐体１０３の内部には、照明装置を備えたイメージセンサユニット１０、保持部材１０６、イメージセンサユニットスライドシャフト１０７、イメージセンサユニット駆動モータ１０８、ワイヤ１０９、信号処理部１１０、回収ユニット１１１、給紙トレイ１１２などが収納されている。
【００１２】
イメージセンサユニット１０は、例えば密着型イメージセンサ（ＣＩＳ；Ｃｏｎｔａｃｔ  Ｉｍａｇｅ  Ｓｅｎｓｏｒ）ユニットである。保持部材１０６は、イメージセンサユニット１０を囲むように保持する。イメージセンサユニットスライドシャフト１０７は、保持部材１０６をプラテンガラス１０４に沿って副走査方向に案内する。イメージセンサユニット駆動モータ１０８は、イメージセンサユニット１０と原稿Ｐとを相対的に移動させる移動部であり、具体的には保持部材１０６に取り付けられたワイヤ１０９を動かす。回収ユニット１１１は筐体１０３に対して開閉自在に設けられ、印刷されたシート１０１を回収する。給紙トレイ１１２は、所定のサイズのシート１０１を収容する。
【００１３】
上述したように構成される画像読取部１０２では、イメージセンサユニット駆動モータ１０８がイメージセンサユニットスライドシャフト１０７に沿ってイメージセンサユニット１０を副走査方向に移動させる。この際、イメージセンサユニット１０はプラテンガラス１０４上に載置された原稿Ｐを光学的に読み取って、電気信号に変換することで、画像の読み取り動作を行う。
【００１４】
図３は画像形成部１１３の構造を示す概略図である。
画像形成部１１３はいわゆるプリンタの機能を有するものであり、例えば以下のように構成される。画像形成部１１３は筐体１０３内部に収容されており、図３に示すように、搬送ローラ１１４と、記録ヘッド１１５とを備えている。記録ヘッド１１５は、例えばシアンＣ、マゼンタＭ、イエローＹ、黒Ｋのインクを備えたインクタンク１１６（１１６ｃ，１１６ｍ，１１６ｙ，１１６ｋ）と、これらのインクタンク１１６にそれぞれ設けられた吐出ヘッド１１７（１１７ｃ，１１７ｍ，１１７ｙ，１１７ｋ）から構成される。また、画像形成部１１３は、記録ヘッドスライドシャフト１１８、記録ヘッド駆動モータ１１９、記録ヘッド１１５に取り付けられたベルト１２０を有している。
【００１５】
上述したように構成される画像形成部１１３では、給紙トレイ１１２から供給されたシート１０１は、搬送ローラ１１４によって記録位置まで搬送される。記録ヘッド１１５は、記録ヘッド駆動モータ１１９によりベルト１２０を機械的に動かすことで、記録ヘッドスライドシャフト１１８に沿って印刷方向（主走査方向）に移動しつつ電気信号を基にシート１０１に対して印刷を行う。印刷終了まで上述した動作を繰り返した後、印刷されたシート１０１は搬送ローラ１１４によって回収ユニット１１１に排出される。
なお、画像形成部１１３としてインクジェット方式による画像形成装置を説明したが、電子写真方式、熱転写方式、ドットインパクト方式などどのような方式であっても構わない。
【００１６】
次に、本実施形態のイメージセンサユニット１０について図４〜図７を参照して説明する。図４はイメージセンサユニット１０の分解斜視図である。図５はイメージセンサユニット１０の平面図である。図６は、図５に示すＩ−Ｉ線断面図である。図７は、図５に示すＩＩ−ＩＩ線断面図である。
イメージセンサユニット１０は、フレーム１１、導光体２０、光源３０、回路基板３５、イメージセンサ３８、集光体４０などを備えている。これらの構成部材のうち、フレーム１１、導光体２０および光源３０は、照明装置として機能する。また、上述した構成部材のうち、フレーム１１、導光体２０、回路基板３５、イメージセンサ３８、集光体４０は、読み取る原稿Ｐの主走査方向の寸法に応じた長さに形成される。
【００１７】
フレーム１１は、イメージセンサユニット１０の各構成部材を収容するフレームであり、主走査方向を長手方向とする略直方体状に形成される。フレーム１１は例えば、黒色に着色された遮光性を有するポリカーボネートなどの樹脂材料により形成される。
図６に示すように、フレーム１１には、導光体２０を収容する導光体収容部１２が主走査方向に沿って形成される。また、図７に示すように、フレーム１１の導光体収容部１２には主走査方向に間隔をあけて、導光体２０を着脱自在に支持する保持部１３が複数、形成される。なお、本実施形態では、複数の保持部１３のみで導光体２０を支持し、保持部１３以外の導光体収容部１２では導光体２０との間に隙間が形成される。保持部１３の詳細については図１を参照して後述する。
【００１８】
フレーム１１には、導光体収容部１２に隣接して集光体４０を収容する集光体収容部１４が主走査方向に形成される。また、フレーム１１の下面には、回路基板３５を配置するための基板収容部１５が主走査方向に沿ってフレーム１１の外側から凹状に形成される。また、図４に示すように、フレーム１１の主走査方向における一方側には、光源３０が配置される光源収容部１６が形成される。
【００１９】
導光体２０は、光源３０が発光する光を原稿Ｐへと導くものであり、主走査方向を長手方向とする棒状に形成される。導光体２０は、フレーム１１の導光体収容部１２の保持部１３により位置決めされた状態で収容される。導光体２０は例えば、アクリルやポリカーボネートなどの透明な樹脂材料により形成される。
図４に示すように、導光体２０は、主走査方向における一端面に光源３０からの光を入射させる入射面２１が形成される。また、導光体２０は、原稿Ｐと対面する面に導光体２０内に入射された光を原稿Ｐに向かって出射させる、凸の曲面状の出射面２２が形成される。また、導光体２０は、出射面２２と対向する面に入射面２１から入射された光を反射および拡散させる平面状の拡散面２３が形成される。拡散面２３は、例えばシルク印刷などによる光反射性の塗料からなる光拡散パターンが形成されている。入射面２１から入射された光は光拡散パターンによって拡散されることで、出射面２２から出射され原稿Ｐにライン状の光が照射される。
【００２０】
また、図６および図７に示すように、導光体２０は、出射面２２と拡散面２３との間に
第１側面２４および第２側面２５が形成される。第１側面２４は、出射面２２の一方側の端部と拡散面２３の一方側の端部とを繋ぐ、凸の曲面状に形成される。第２側面２５は、出射面２２の他方側の端部と拡散面２３の他方側の端部とを繋ぐ、凸の曲面状に形成される。第１側面２４および第２側面２５は、入射面２１から入射された光を導光体２０の長手方向に反射させる反射面として機能する。
【００２１】
光源３０は、光を発光することで導光体２０を介して原稿Ｐに光を照射する。光源３０は、回路基板３５に接続された状態でフレーム１１の光源収容部１６に収容される。光源３０がフレーム１１に収容された状態では、隙間を介して導光体２０の入射面２１と対面する。光源３０は例えば、ＬＥＤモジュール３１が用いられる。ＬＥＤモジュール３１は、略矩形状に形成された筐体３２と、筐体３２から突出する複数のリード端子３３とを備えている。筐体３２は、導光体２０の入射面２１と対面する面に発光素子としてのＬＥＤチップ３４を複数、透明樹脂によって封止した状態で支持する。ＬＥＤチップ３４には赤、緑、青、赤外、紫外などの発光波長を有するＬＥＤチップを用いることができる。赤外、紫外の発光波長を有するＬＥＤチップを用いるのは、セキュリティのために不可視インクが施された原稿Ｐを読み取るためである。
なお、図６には、導光体２０に対する光源３０の配置が理解できるように、ＬＥＤモジュール３１およびＬＥＤチップ３４を想像線（二点鎖線）で図示している。
【００２２】
回路基板３５は、ＬＥＤチップ３４を発光させるための駆動回路やイメージセンサ３８などを実装する基板であり、長手方向を主走査方向とする平板状に形成される。回路基板３５は、フレーム１１の基板収容部１５に収容される。回路基板３５は例えば、ガラスエポキシ基板が用いられる。また、回路基板３５の主走査方向における一方の端部には、ＬＥＤモジュール３１のリード端子３３を接続するための挿入孔３６が形成される。
【００２３】
イメージセンサ３８は、原稿Ｐから反射され集光体４０によって結像された反射光を受光して電気信号に変換する。イメージセンサ３８は集光体４０の光軸の延長線上に配置されるように、回路基板３５が基板収容部１５によって支持される。イメージセンサ３８は、イメージセンサユニット１０の読み取りの解像度に応じた複数の受光素子（光電変換素子）から構成されるイメージセンサＩＣ３９の所定数を回路基板３５の実装面上に主走査方向に直線状に配列して実装される。なお、イメージセンサ３８は、原稿Ｐから反射された反射光を電気信号に変換できればよく、公知の各種イメージセンサＩＣを用いることができる。
【００２４】
集光体４０は、原稿Ｐからの反射光をイメージセンサ３８上に結像する光学部材であり、長手方向を主走査方向にして形成される。集光体４０は、フレーム１１の集光体収容部１４に収容される。集光体４０は例えば、複数の正立等倍結像型の結像素子（ロッドレンズ）が主走査方向に直線状に配列されるロッドレンズアレイが用いられる。なお、集光体４０は、反射光をイメージセンサ３８上に結像できればよく、ロッドレンズアレイに限られず、マイクロレンズアレイなど公知の各種集光機能を有する光学部材を用いることができる。
【００２５】
図６および図７に示すように、上述したように構成されるイメージセンサユニット１０では、フレーム１１内に配置された光源３０を発光させることにより導光体２０から原稿Ｐの下面に対して矢印Ｌに示すように光を照射する。したがって、原稿Ｐには読取ラインＳ（主走査方向）に亘ってライン状に光が照射される。この光は原稿Ｐによって反射されることで、集光体４０を介して反射光がイメージセンサ３８上に結像される。イメージセンサ３８は、結像された反射光を電気信号に変換することで、原稿Ｐの下面の画像を読み取ることができる。
【００２６】
イメージセンサ３８が反射光を１走査ライン分読み取ることで、原稿Ｐの主走査方向における１走査ラインの読み取り動作を完了する。１走査ラインの読み取り動作終了後、イメージセンサユニット１０の副走査方向への相対的な移動に伴い、上述する動作と同様に次の１走査ライン分の読み取り動作が行われる。このようにイメージセンサユニット１０が副走査方向に移動しながら１走査ライン分ずつ読み取り動作を繰り返すことで、原稿Ｐの全面が順次走査されて反射光により画像の読み取りが行われる。
【００２７】
上述したように、本実施形態の導光体２０は、出射面２２と拡散面２３との間に形成される第１側面２４および第２側面２５が曲面状に形成される。本実施形態のフレーム１１の保持部１３は、曲面状の側面を有する導光体２０を精度よく支持できる構成を有している。
以下、具体的に保持部１３の構成について図１を参照して説明する。図１は、保持部１３の構成を示す断面図である。
【００２８】
本実施形態の保持部１３は主に、第１支持部５１、第２支持部５５および側面支持部６０によって導光体２０をフレーム１１に対して位置決めする。
第１支持部５１は、保持部１３の底部５２にＶ字状に形成される。具体的に、第１支持部５１は、角度が異なる第１底面５３と第２底面５４とが交わる位置に形成される。第１支持部５１は、導光体２０の拡散面２３と第１側面２４との交線である第１角部２６を支持する。ここで、第１支持部５１が第１角部２６を確実に支持するために、第１支持部５１のＶ字状の角度は第１角部２６の角度よりも大きい角度に設定される。したがって、断面視で見たときに第１支持部５１は第１角部２６を１点（Ａ点）で支持する。なお、拡散面２３と底部５２との間は離間した状態であり、底部５２では導光体２０を第１角部２６のみで支持する。拡散面２３と底部５２との離間させることで、拡散面２３と底部５２との接触を防ぎ、拡散面２３に形成された光拡散パターンの損傷を防止することができる。
【００２９】
第２支持部５５は、底部５２から一体で突出される係止突起５６に形成される。係止突起５６は、底部５２から上方向に向かって突出する突出部５７と、突出部５７から集光体４０側に傾斜する傾斜部５８と、傾斜部５８から集光体４０側に水平方向（副走査方向）に延出する抜止部５９とが一体で構成される。第２支持部５５は、傾斜部５８のうち集光体４０側の平面に形成される。第２支持部５５は、導光体２０の出射面２２と第２側面２５との交線である第２角部２７を支持する。ここで、第２支持部５５を平面で形成することで、フレーム１１または導光体２０の製造誤差により第２角部２７の位置が変化しても平面の何れかの位置で支持することができる。また、第２支持部５５が第２角部２７を平面で支持することにより、断面視で見たときに第２支持部５５は第２角部２７を１点（Ｂ点）で支持する。
【００３０】
なお、係止突起５６は底部５２のみを介して繋がると共に樹脂材料により形成されていることから、外力が加わることで突出部５７と底部５２との境界を中心とした揺動方向に弾性変形が可能である。また、導光体２０が保持部１３に支持された状態では、係止突起５６の抜止部５９の先端が導光体２０の出射面２２に接している。したがって、導光体２０の保持部１３からの抜けを防止することができる。
【００３１】
側面支持部６０は、底部５２から一体で集光体４０側に形成される傾斜部６１の平面に形成される。側面支持部６０は、導光体２０の第１側面２４を支持する。ここで、側面支持部６０を平面で形成することで、導光体２０の製造誤差により第１側面２４の曲率半径が変化しても平面の何れかの位置で支持することができる。また、側面支持部６０が曲面状の第１側面２４を平面で支持することにより、断面視で見たときに側面支持部６０は第１側面２４を１点（Ｃ点）で支持する。
【００３２】
なお、側面支持部６０の平面と、第２支持部５５の平面とは平行になるように形成される。また、導光体２０が保持部１３により保持されていない状態では、側面支持部６０の平面と第２支持部５５の平面との間の距離は、導光体２０の第２角部２７と第１側面２４との間の距離よりも小さくなるように設定される。
【００３３】
導光体２０を保持部１３に装着する場合、係止突起５６を集光体４０とは逆方向に弾性変形させながら、係止突起５６、底部５２および傾斜部６１により囲まれる空間に導光体２０を挿入する。導光体２０が保持部１３に装着された状態では主に、第１支持部５１が第１角部２６を支持するＡ点、第２支持部５５が第２角部２７を支持するＢ点、側面支持部６０が第１側面２４を支持するＣ点の３点によって導光体２０が支持される。
【００３４】
導光体２０の曲面状の第１側面２４を支持する場合、保持部１３と曲面状の第１側面２４との間で滑りが生じ導光体２０に回転モーメントが発生し、保持部１３に対して導光体２０が位置ずれするおそれがある。
本実施形態では、第１角部２６の角度よりも大きい角度に設定されたＶ字状の第１支持部５１が第１角部２６を支持することで、第１角部２６を第１支持部５１のＶ字内に収めることができる。したがって、導光体２０に回転モーメントが発生しても導光体２０の回転を抑止することができるので、導光体２０の保持部１３内での位置ずれ、導光体２０の保持部１３からの抜けを防止することができる。
【００３５】
また、側面支持部６０の平面と第２支持部５５の平面との間の距離は、導光体２０の第２角部２７と第１側面２４との間の距離よりも小さくなるように設定されていることから、係止突起５６には導光体２０側に向かって元に戻ろうとする付勢力が生じる。したがって、導光体２０は、係止突起５６の第２支持部５５と側面支持部６０とにより挟まれた状態で支持される。
【００３６】
ここで、側面支持部６０の平面と第２支持部５５の平面とは平行であり、第２支持部５５が第２角部２７を支持するＢ点と側面支持部６０が第１側面２４を支持するＣ点とを繋ぐ直線が両平面に対して直交している。したがって、第２支持部５５と側面支持部６０とにより挟まれた導光体２０は回転モーメントの発生が抑制されるために、導光体２０の保持部１３内での位置ずれ、導光体２０の保持部１３からの抜けを防止することができる。
【００３７】
また、本実施形態では、係止突起５６の抜止部５９の先端が導光体２０の出射面２２に接しているので、導光体２０の保持部１３からの抜けを更に防止することができる。上述したように、係止突起５６は元に戻ろうとする付勢力が生じているために、抜止部５９は導光体２０を第１角部２６側に向かって付勢する。したがって、第１角部２６は第１支持部５１に押し付けられるために、第１角部２６は第１支持部５１のＶ字内に精度よく位置決めされる。また、抜止部５９は出射面２２を覆うような態様で出射面２２に接しているので、出射面２２から照射させたくない方向の光を抜止部５９により遮光することができる。
【００３８】
このように本実施形態によれば、フレーム１１の保持部１３には、導光体２０の拡散面２３と第１側面２４とにより形成される第１角部２６を支持する第１支持部５１を有し、第１支持部５１は第１角部２６の角度よりも大きい角度のＶ字状に形成される。したがって、第１角部２６が第１支持部５１のＶ字内に嵌まり込んだ状態で支持されるので、導光体２０に発生する回転モーメントを抑止することができ、導光体２０を精度よく位置決めすることができる。導光体２０を精度よく位置決めすることで、導光体２０の出射面２２から出射する光を精度よく原稿Ｐの読取ラインＳに指向させることができる。
【００３９】
以上、本発明を上述した実施形態により説明したが、本発明は上述した実施形態にのみ限定されるものではなく、本発明の範囲内で変更が可能である。
上述した実施形態では、導光体２０の第１側面２４および第２側面２５が曲面状である場合について説明したが、この場合に限られず、第１側面２４および第２側面２５のうち第１側面２４のみを曲面状にし、第２側面２５を平面にしてもよい。なお、第１側面２４に形成される曲面には、平面が連続して繋がることで曲面として近似できるものも含まれる。
また、上述した実施形態の保持部１３では主にＡ点、Ｂ点およびＣ点の３点で導光体２０を支持する場合について説明したが、この場合に限られず、４点以上で導光体２０を支持してもよい。
【００４０】
また、上述した実施形態の第１支持部５１は、角度が異なる第１底面５３の平面と第２底面５４の平面とが交わることでＶ字状に形成される場合について説明したが、この場合に限られない。例えば、第１底面５３および第２底面５４を上側に凸の曲面で形成し、第１支持部５１が、第１底面５３の曲面と第２底面５４の曲面とが交わることでＶ字状に形成してよい。すなわち、第１支持部５１は、不連続な曲面で形成してもよい。第１支持部５１を不連続な曲面で形成することで、導光体２０を保持部１３に装着するときに第１底面５３または第２底面５４の何れかの曲面に沿って第１角部２６を第１支持部５１までガイドすることができる。
【００４１】
また、上述した実施形態では、係止突起５６の抜止部５９の先端が導光体２０の出射面２２に接する場合について説明したが、抜止部５９は出射面２２から離間していてもよい。
【符号の説明】
【００４２】
１０：イメージセンサユニット  １１：フレーム  １２：導光体収容部  １３：保持部  ２０：導光体  ２１：入射面  ２２：出射面  ２３：拡散面  ２４：第１側面  ２５：第２側面  ２６：第１角部  ２７：第２角部  ３０：光源  ３５：回路基板  ３８：イメージセンサ  ５１：第１支持部  ５２：底部  ５３：第１底面  ５４：第２底面  ５５：第２支持部  ５６：係止突起  ５８：傾斜部  ５９：抜止部  ６０：側面支持部  ６１：傾斜部  １００：ＭＦＰ（画像読取装置、画像形成装置）  １０１：シート（記録媒体）  １０２：画像読取部  １０８：イメージセンサユニット駆動モータ  １１３：画像形成部
【図１】
2015195152.tif 000003
【図２】
2015195152.tif 000004
【図３】
2015195152.tif 000005
【図４】
2015195152.tif 000006
【図５】
2015195152.tif 000007
【図６】
2015195152.tif 000008
【図７】
2015195152.tif 000009